(57)【特許請求の範囲】
【請求項１】
導電性を有する第１の振動体と、前記第１の振動体に対向する第１の電極と、前記第１の電極と前記第１の振動体とを離間させる絶縁性の第１の離間部材とを備える第１の静電放音部と、
導電性を有する第２の振動体と、前記第２の振動体に対向する第２の電極と、前記第２の電極と前記第２の振動体とを離間させる絶縁性の第２の離間部材とを備える第２の静電放音部と、
導電性を有する第３の振動体と、前記第３の振動体に対向する第３の電極と、前記第３の電極と前記第３の振動体とを離間させる絶縁性の第３の離間部材とを備える第３の静電放音部と、
前記第１の電極に対して、第１の音声信号に応じた電圧を印加する第１の印加部と、
前記第３の電極に対して、前記第１の音声信号と異なる第２の音声信号に応じた電圧を印加する第２の印加部と、
前記第２の電極に対して、前記第１の音声信号、前記第２の音声信号、および音量が所定の閾値未満の音を示す音声信号のいずれかの音声信号を選択し、当該選択した音声信号に応じた電圧を印加する第３の印加部と
を具備し、
前記第１の電極は、第１の電極部分と、当該第１の電極部分から前記第２の電極に向かって突出する形状の第２の電極部分とを有し、
前記第２の電極は、第３の電極部分と、当該第３の電極部分から前記第１の電極に向かって突出する形状の第４の電極部分とを有し、
２つの前記第２の電極部分によって挟まれる位置に前記第４の電極部分が配置された状態または２つの前記第４の電極部分によって挟まれる位置に前記第２の電極部分が配置された状態となるようにして、前記第１の静電放音部及び前記第２の静電放音部が支持され、
前記第３の静電放音部は、前記第１の静電放音部との間で前記第２の静電放音部を挟む位置に配置される
ことを特徴とする静電型スピーカ。
【請求項２】
前記第１の電極部分からの距離が大きくなるほど、前記第２の電極部分の幅が徐々に小さくなり、
前記第３の電極部分からの距離が大きくなるほど、前記第４の電極部分の幅が徐々に小さくなる
ことを特徴とする請求項１記載の静電型スピーカ。
【請求項３】
導電性を有する第１の振動体と、前記第１の振動体に対向する第１の電極と、前記第１の電極と前記第１の振動体とを離間させる絶縁性の第１の離間部材とを備え、当該第１の振動体の振動に応じて前記第１の電極において発生する第１の音声信号を出力する第１の出力部と、
導電性を有する第２の振動体と、前記第２の振動体に対向する第２の電極と、前記第２の電極と前記第２の振動体とを離間させる絶縁性の第２の離間部材とを備え、当該第２の振動体の振動に応じて前記第２の電極において発生する、前記第１の音声信号と異なる第２の音声信号を出力する第２の出力部と、
導電性を有する第３の振動体と、前記第３の振動体に対向する第３の電極と、前記第３の電極と前記第３の振動体とを離間させる絶縁性の第３の離間部材とを備え、当該第３の振動体の振動に応じて前記第３の電極において発生する、前記第１及び第２の音声信号と異なる第３の音声信号を出力する第３の出力部と、
前記第１、第２及び第３の出力部のいずれか一つを選択し、前記第１の出力部を選択した場合には、前記第２の音声信号を前記第１の音声信号と混合して前記第１の出力部に出力し、前記第２の出力部を選択した場合には、前記第２の音声信号を前記第１及び第３の音声信号のいずれとも混合せずに前記第２の出力部に出力し、前記第３の出力部を選択した場合には、前記第２の音声信号を前記第３の音声信号と混合して前記第３の出力部に出力する出力選択手段とを備え、
前記第１の電極は、第１の電極部分と、当該第１の電極部分から前記第２の電極に向かって突出する形状の第２の電極部分とを有し、
前記第２の電極は、第３の電極部分と、当該第３の電極部分から前記第１の電極に向かって突出する形状の第４の電極部分とを有し、
前記第３の電極は、前記第１の電極との間で前記第２の電極を挟む位置に配置され、
前記第２の電極部分および前記第４の電極部分は、いずれか一方の電極部分から突出した形状の１つの部分が、他方の電極部分から突出した形状の２つの部分の間に挟まれるように配置される
ことを特徴とする静電型マイクロフォン。
【発明の詳細な説明】
【技術分野】
【０００１】
本発明は、静電型の電気音響変換器、静電型スピーカ及び静電型マイクロフォンに関する。
【背景技術】
【０００２】
特許文献１に開示された静電型スピーカシステムは、一対の静電型スピーカを備えており、向かって左側の静電型スピーカを左側音声の再生用とし、向かって右側の静電型スピーカを右側音声の再生用としてステレオ音声の再生ができる構成となっている。
【先行技術文献】
【特許文献】
【０００３】
【特許文献１】特開２００１−１４８８９３号公報
【発明の概要】
【発明が解決しようとする課題】
【０００４】
一般に、静電型スピーカは、指向性が強く、出力された音が空間内であまり拡がらないことが知られている。したがって、特許文献１に開示された平面スピーカシステムでは、左側の静電型スピーカから出力された音と、右側の静電型スピーカから出力された音とが、それぞれ分離した状態で聴者に聴こえる場合がある。
そこで、複数の静電型スピーカからそれぞれ出力される複数の音を聴者に聴かせる際に、これら複数の音が混合した状態と分離した状態とを切り替える仕組みが求められている。この切り替えは、構成を簡素にする観点から静電型スピーカの形状を変形させたり、位置を移動させたりせずに行われることが望まれている。
【０００５】
また、この静電型スピーカの構成を、静電型マイクロフォンの構成として用いることも可能である。この場合、外部で発生した音波が振動板を振動させることで、音（音波）が音響信号（電気信号）へと変換されることになる。この静電型マイクロフォンでは、振動板の形状を変形させたり、位置を移動させたりせずに、１つの音響信号へ変換される音が収音される空間を拡げたり狭めたりすることが望まれている。
【０００６】
本発明は、形状や位置を変更することなく、静電型スピーカから出力される複数の音を混合した状態で聴者に聴かせたり、分離した状態で聴者に聴かせたりする仕組みを提供することを目的とする。また、本発明は、形状や位置を変更することなく、静電型マイクロフォンが収音する領域を拡げたり狭めたりする仕組みを提供することを目的とする。
【課題を解決するための手段】
【０００９】
上述した課題を解決するため、本発明に係る静電型スピーカは、導電性を有する第１の振動体と、前記第１の振動体に対向する第１の電極と、前記第１の電極と前記第１の振動体とを離間させる絶縁性の第１の離間部材とを備える第１の静電放音部と、導電性を有する第２の振動体と、前記第２の振動体に対向する第２の電極と、前記第２の電極と前記第２の振動体とを離間させる絶縁性の第２の離間部材とを備える第２の静電放音部と、導電性を有する第３の振動体と、前記第３の振動体に対向する第３の電極と、前記第３の電極と前記第３の振動体とを離間させる絶縁性の第３の離間部材とを備える第３の静電放音部と、前記第１の電極に対して、第１の音声信号に応じた電圧を印加する第１の印加部と、前記第３の電極に対して、前記第１の音声信号と異なる第２の音声信号に応じた電圧を印加する第２の印加部と、前記第２の電極に対して、前記第１の音声信号、前記第２の音声信号、および音量が所定の閾値未満の音を示す音声信号のいずれかの音声信号を選択し、当該選択した音声信号に応じた電圧を印加する第３の印加部とを具備し、前記第１の電極は、第１の電極部分と、当該第１の電極部分から前記第２の電極に向かって突出する形状の第２の電極部分とを有し、前記第２の電極は、第３の電極部分と、当該第３の電極部分から前記第１の電極に向かって突出する形状の第４の電極部分とを有し、２つの前記第２の電極部分によって挟まれる位置に前記第４の電極部分が配置された状態または２つの前記第４の電極部分によって挟まれる位置に前記第２の電極部分が配置された状態となるようにして、前記第１の静電放音部及び前記第２の静電放音部が支持され、前記第３の静電放音部は、前記第１の静電放音部との間で前記第２の静電放音部を挟む位置に配置されることを特徴とする。
【００１０】
好ましくは、前記第１の電極部分からの距離が大きくなるほど、前記第２の電極部分の幅が徐々に小さくなり、前記第３の電極部分からの距離が大きくなるほど、前記第４の電極部分の幅が徐々に小さくなるとよい。
【００１１】
また、本発明に係る静電型マイクロフォンは、導電性を有する第１の振動体と、前記第１の振動体に対向する第１の電極と、前記第１の電極と前記第１の振動体とを離間させる絶縁性の第１の離間部材とを備え、当該第１の振動体の振動に応じて前記第１の電極において発生する第１の音声信号を出力する第１の出力部と、導電性を有する第２の振動体と、前記第２の振動体に対向する第２の電極と、前記第２の電極と前記第２の振動体とを離間させる絶縁性の第２の離間部材とを備え、当該第２の振動体の振動に応じて前記第２の電極において発生する、前記第１の音声信号と異なる第２の音声信号を出力する第２の出力部と、導電性を有する第３の振動体と、前記第３の振動体に対向する第３の電極と、前記第３の電極と前記第３の振動体とを離間させる絶縁性の第３の離間部材とを備え、当該第３の振動体の振動に応じて前記第３の電極において発生する、前記第１及び第２の音声信号と異なる第３の音声信号を出力する第３の出力部と、前記第１、第２及び第３の出力部のいずれか一つを選択し、前記第１の出力部を選択した場合には、前記第２の音声信号を前記第１の音声信号と混合して前記第１の出力部に出力し、前記第２の出力部を選択した場合には、前記第２の音声信号を前記第１及び第３の音声信号のいずれとも混合せずに前記第２の出力部に出力し、前記第３の出力部を選択した場合には、前記第２の音声信号を前記第３の音声信号と混合して前記第３の出力部に出力する出力選択手段とを備え、前記第１の電極は、第１の電極部分と、当該第１の電極部分から前記第２の電極に向かって突出する形状の第２の電極部分とを有し、前記第２の電極は、第３の電極部分と、当該第３の電極部分から前記第１の電極に向かって突出する形状の第４の電極部分とを有し、前記第３の電極は、前記第１の電極との間で前記第２の電極を挟む位置に配置され、前記第２の電極部分および前記第４の電極部分は、いずれか一方の電極部分から突出した形状の１つの部分が、他方の電極部分から突出した形状の２つの部分の間に挟まれるように配置されることを特徴とする。
【発明の効果】
【００１２】
本発明によれば、形状や位置を変更することなく、静電型スピーカから出力される複数の音を合わせた状態で聴者に聴かせたり、分離した状態で聴者に聴かせたりすることができる。また、本発明によれば、形状や位置を変更することなく、静電型マイクロフォンが収音する領域を拡げたり狭めたりすることができる。
【図面の簡単な説明】
【００１３】
【図１】本発明の実施形態に係る静電型スピーカの外観を示した斜視図である。
【図２】同実施形態に係る静電型スピーカの分解斜視図である。
【図３】同実施形態に係る電極の形状を示す図である。
【図４】同実施形態に係る静電型スピーカの電気的構成を示した図である。
【図５】同実施形態に係るスイッチの制御を説明するための図である。
【図６】同実施形態に係る振動体の形状と、該振動体から発生した音圧を模式的に説明する図である。
【図７】同実施形態に係る静電型スピーカを広告媒体として用いた例を説明する図である。
【図８】本発明の変形例に係る振動体の形状と、該振動体から発生した音圧を説明する図である。
【図９】本発明の変形例に係る電極の形状を示す図である。
【図１０】本発明の変形例に係る電極の形状を示す図である。
【図１１】本発明の変形例に係る静電型スピーカ１ｆの外観を示した斜視図である。
【図１２】本発明の変形例における静電型スピーカ１ｇ、１ｈの外観を示す図である。
【図１３】本発明の変形例に係る静電型マイクロフォン１Ｍの電気的構成を示した図である。
【発明を実施するための形態】
【００１４】
［実施形態］
図１は、本発明の実施形態に係る静電型スピーカ１の外観を示した斜視図である。以下の図において、Ｘ，Ｙ，Ｚは３軸の直交座標系の座標軸を意味している。互いに直交するＸ軸、Ｙ軸はいずれも静電型スピーカ１の放音面と平行であり、Ｚ軸が静電型スピーカ１の放音面に対して垂直である。静電型スピーカ１は、振動体１０、電極２０Ｕ−１，２０Ｕ―２，２０Ｕ−３、電極２０Ｌ−１，２０Ｌ−２，２０Ｕ−３、スペーサ３０Ｕ，３０Ｌを備えている。なお、スペーサ３０Ｕとスペーサ３０Ｌの構成及び作用、電極２０Ｕ−１と電極２０Ｌ−１の構成及び作用、電極２０Ｌ−２と電極２０Ｕ―２の構成及び作用、及び電極２０Ｌ−３と電極２０Ｕ―３の構成及び作用は、夫々同じであるため、両者を区別する必要が特に無い場合は「Ｌ」および「Ｕ」の記載を省略する。また、静電型スピーカ１のサイズの一例を挙げると、Ｙ軸方向の長さは例えば数ｍ程度であり、Ｘ軸方向の長さは例えば数十ｃｍ程度であるが、以下の図において静電型スピーカ１を構成する各部の寸法は、各部の形状を容易に理解できるように実際の寸法とは異ならせてある。静電型スピーカ１の厚み（Ｚ軸方向の長さ）は、実際には、図１に示したものよりも小さく、静電型スピーカ１は全体としてシート状の形状である。また、以下の図において、「○」の中に「・」が記載されたものは上記の座標軸の方向を示す矢印のうち、図面の裏から表に向かう矢印を意味するものとする。
【００１５】
（静電型スピーカ１の各部の構成）
まず、静電型スピーカ１を構成する各部について説明する。図２は、静電型スピーカ１の分解斜視図である。振動体１０は、例えば、ＰＥＴ（polyethylene terephthalate、ポリエチレンテレフタレート）またはＰＰ（polypropylene、ポリプロピレン）などの透明
フィルムの表面に、導電性を有する金属の導電膜が形成されたものである。振動体１０は、数μｍ程度の厚さで薄い膜状となっているため、外力を受けると自在に変形する。振動体１０は、Ｚ軸方向からみて矩形の形状となっている。
【００１６】
スペーサ３０は、絶縁性を有する材料で形成されており、Ｚ軸正方向からみて矩形となる枠部材である。このスペーサ３０は、振動体１０と電極２０とを離間させて、振動体１０と電極２０との間に空気層を形成するものであり、離間部材に相当する。スペーサ３０のＸ軸方向の長さと、振動体１０のＸ軸方向の長さは同じとなっている。同様に、スペーサ３０のＹ軸方向の長さと、振動体１０のＹ軸方向の長さは同じとなっている。また、スペーサ３０Ｕとスペーサ３０ＬのＺ軸方向の長さは、いずれも同じとなっている。なお、スペーサ３０の形状は、矩形に限られず、振動体１０と電極２０とを接触させない形状であれば、どのような形状であってもよい。
【００１７】
電極２０−１、電極２０−２及び電極２０−３は、所謂パンチングメタルであって、導電性を有する金属板の表面から裏面に貫通する複数の貫通孔が所定間隔で複数設けられたものである。なお、図面においては、この貫通孔の図示を省略している。図１，２に示すように、電極２０−１、電極２０−２及び電極２０−３は、Ｚ軸正方向からみて櫛歯状に形成されている。ここでいう櫛歯状とは、あたかも櫛の歯の形状ように、或る部材の１辺に或る間隔で複数の切り込みが入れられている状態をいう。具体的には、図２に示すように、電極２０Ｕ−１は、基部２０Ｕ−Ａと、基部２０Ｕ−Ａから電極２０Ｕ−２に向かって突出する櫛歯部分２０Ｕ−Ｂ１〜Ｂ３とを有し、電極２０Ｕ−２は、基部２０Ｕ−Ｃと、基部２０Ｕ−Ｃから電極２０Ｕ−１に向かって突出する櫛歯部分２０Ｕ−Ｄ１〜Ｄ３と、さらに基部２０Ｕ−Ｃから電極２０Ｕ−３に向かって突出する櫛歯部分２０Ｕ−Ｅ１〜Ｅ３とを有している。そして、電極２０Ｕ−３は、基部２０Ｕ−Ｆと、基部２０Ｕ−Ｆから電極２０Ｕ−２に向かって突出する櫛歯部分２０Ｕ−Ｇ１〜Ｇ３とを有している。
【００１８】
また、電極２０Ｌ−１は、基部２０Ｌ−Ａと、基部２０Ｌ−Ａから電極２０Ｌ−２に向かって突出する櫛歯部分２０Ｌ−Ｂ１〜Ｂ３とを有し、電極２０Ｌ−２は、基部２０Ｌ−Ｃと、基部２０Ｌ−Ｃから電極２０Ｌ−１に向かって突出する櫛歯部分２０Ｌ−Ｄ１〜Ｄ３と、さらに基部２０Ｌ−Ｃから電極２０Ｌ−３に向かって突出する櫛歯部分２０Ｌ−Ｅ１〜Ｅ３とを有している。そして、電極２０Ｌ−３は、基部２０Ｌ−Ｆと、基部２０Ｌ−Ｆから電極２０Ｌ−２に向かって突出する櫛歯部分２０Ｌ−Ｇ１〜Ｇ３とを有している。なお、各電極対は上側の電極２０Ｕと下側の電極２０Ｌとは互いに同じパターンの形状を有する。つまり、突出する山の部分と、それ以外の谷の部分の形状のパターンが同相になっている。
【００１９】
なお、基部２０Ｕ−Ａと基部２０Ｌ−Ａの構成及び作用、並びに櫛歯部分２０Ｕ−Ｂ１〜Ｂ３と櫛歯部分２０Ｌ−Ｂ１〜Ｂ３の構成及び作用は、夫々同じであるため、両者を区別する必要が特に無い場合は「Ｌ」および「Ｕ」の記載を省略する。また、基部２０Ｕ−Ｃと基部２０Ｌ−Ｃの構成及び作用、櫛歯部分２０Ｕ−Ｄ１〜Ｄ３と櫛歯部分２０Ｌ−Ｄ１〜Ｄ３の構成及び作用、並びに櫛歯部分２０Ｕ−Ｅ１〜Ｅ３と櫛歯部分２０Ｌ−Ｅ１〜Ｅ３の構成及び作用は、夫々同じであるため、両者を区別する必要が特に無い場合は「Ｌ」および「Ｕ」の記載を省略する。そして、基部２０Ｕ−Ｆと基部２０Ｌ−Ｆの構成及び作用、並びに櫛歯部分２０Ｕ−Ｇ１〜Ｇ３と櫛歯部分２０Ｌ−Ｇ１〜Ｇ３の構成及び作用は、夫々同じであるため、両者を区別する必要が特に無い場合は「Ｌ」および「Ｕ」の記載を省略する。
【００２０】
また、基部２０−Ａは第１の電極部分に相当し、櫛歯部分２０−Ｂ１〜Ｂ３は第２の電極部分に相当する。基部２０−Ｃは第３の電極部分に相当し、櫛歯部分２０−Ｄ１〜Ｄ３は第４の電極部分に相当し、櫛歯部分２０−Ｅ１〜Ｅ３は第５の電極部分に相当する。基部２０−Ｆは第６の電極部分に相当し、櫛歯部分２０−Ｇ１〜Ｇ３は第７の電極部分に相当する。櫛歯部分２０−Ｂ１〜Ｂ３、櫛歯部分２０−Ｄ１〜Ｄ３、櫛歯部分２０−Ｅ１〜Ｅ３及び櫛歯部分２０−Ｇ１〜Ｇ３は、例えば、Ｚ軸正方向からみて矩形の形状となっている。静電型スピーカ１のＹ軸方向の長さが例えば３ｍ程度だとした場合、櫛歯部分２０−Ｂ１〜Ｂ３、櫛歯部分２０−Ｄ１〜Ｄ３、櫛歯部分２０−Ｅ１〜Ｅ３及び櫛歯部分２０−Ｇ１〜Ｇ３のＹ軸方向の長さは、例えば０．３ｍ程度である。
【００２１】
櫛歯部分２０−Ｂ１と櫛歯部分２０−Ｂ２との間のＸ軸方向の長さは、櫛歯部分２０−Ｄ１のＸ軸方向の長さよりも長い。櫛歯部分２０−Ｂ２と櫛歯部分２０−Ｂ３との間のＸ軸方向の長さは、櫛歯部分２０−Ｄ２のＸ軸方向の長さよりも長い。そして、櫛歯部分２０−Ｄ２と櫛歯部分２０−Ｄ３との間のＸ軸方向の長さは、櫛歯部分２０−Ｂ３のＸ軸方向の長さよりも長い。櫛歯部分２０−Ｄ２と櫛歯部分２０−Ｄ１との間のＸ軸方向の長さは、櫛歯部分２０−Ｂ２のＸ軸方向の長さよりも長い。静電型スピーカ１のＸ軸方向の長さが例えば６０ｃｍ程度だとした場合、櫛歯部分２０−Ｂ１〜Ｂ３及び櫛歯部分２０−Ｄ１〜Ｄ３のＸ軸方向の長さは、例えば４〜４．５ｃｍ程度である。各櫛歯部分は上記のような関係にあるため、電極２０−１及び電極２０−２が図のように噛み合わせる（入り組ませる）ことが可能となっている。櫛歯部分２０−Ｂ１〜Ｂ３及び櫛歯部分２０−Ｄ１〜Ｄ３は噛みあった状態で離間しているため、電極２０−１と電極２０−２とは、互いに絶縁している。
【００２２】
そして、櫛歯部分２０−Ｅ１〜Ｅ３及び櫛歯部分２０−Ｇ１〜Ｇ３のＸ軸方向の長さに関する関係は、櫛歯部分２０−Ｂ１〜Ｂ３及び櫛歯部分２０−Ｄ１〜Ｄ３のＸ軸方向の長さに関する上記の関係と同じである。そのため、電極２０−２及び電極２０−３が図のように噛み合わせる（入り組ませる）ことが可能となっている。櫛歯部分２０−Ｅ１〜Ｅ３及び櫛歯部分２０−Ｇ１〜Ｇ３は噛みあった状態で離間しているため、電極２０−２と電極２０−３とは、互いに絶縁している。なお、電極２０−１と電極２０−３とは、電極２０−２を挟んで離間しているため、互いに絶縁している。
【００２３】
（静電型スピーカ１の構造）
次に、静電型スピーカ１の構造について説明する。振動体１０は、たるみが生じないように張力を掛けられた状態でスペーサ３０Ｕとスペーサ３０Ｌの枠の間に挟まれている。振動体１０は、そのＸ軸方向の縁とＹ軸方向の縁からそれぞれ内側へ数ｍｍの幅で接着剤が塗布されてスペーサ３０Ｕとスペーサ３０Ｌに固着されている。振動体１０の接着剤が塗布されていない部分は、スペーサ３０Ｕとスペーサ３０Ｌに固着されていない。
【００２４】
電極２０Ｕ−１及び電極２０Ｕ−２は、櫛歯部分２０Ｕ−Ｂ１〜Ｂ３と、櫛歯部分２０Ｕ−Ｄ１〜Ｄ３とが交互に入り組んだ状態で、互いに接触しないように所定の間隔を開けた状態でスペーサ３０Ｕに固着されている。電極２０Ｕ−２及び電極２０Ｕ−３は、櫛歯部分２０Ｕ−Ｅ１〜Ｅ３と、櫛歯部分２０Ｕ−Ｇ１〜Ｇ３とが交互に入り組んだ状態で、互いに接触しないように所定の間隔を開けた状態でスペーサ３０Ｕに固着されている。また、電極２０Ｌ−１、電極２０Ｌ−２及び電極２０Ｌ−３においても、電極２０Ｕ−１、電極２０Ｕ−２及び電極２０Ｕ−３と同様にして、櫛歯部分２０Ｌ−Ｂ１〜Ｂ３と、櫛歯部分２０Ｌ−Ｄ１〜Ｄ３とが、また、櫛歯部分２０Ｌ−Ｅ１〜Ｅ３と、櫛歯部分２０Ｌ−Ｇ１〜Ｇ３とがそれぞれ交互に入り組んだ状態で、互いに接触しないように間隔を開けた状態でスペーサ３０Ｌに固着される。
【００２５】
この構成によれば、電極２０Ｕ−１は振動体１０を挟んで電極２０Ｌ−１と対向し、電極２０Ｕ−２は振動体１０を挟んで電極２０Ｌ−２と対向し、電極２０Ｕ−３は振動体１０を挟んで電極２０Ｌ−３と対向する。つまり、電極２０Ｕ−１及び電極２０Ｌ−１は、振動体１０を挟んで対向する第１電極対に相当し、電極２０Ｕ−２及び電極２０Ｌ−２は、振動体１０を挟んで対向する第２電極対に相当し、電極２０Ｕ−３及び電極２０Ｌ−３は、振動体１０を挟んで対向する第３電極対に相当する。電極２０−１の櫛歯部分と、電極２０−２の櫛歯部分とを交互に入り組んだように組み合わせ、且つ、電極２０−２の櫛歯部分と、電極２０−３の櫛歯部分とを交互に入り組んだように組み合わせた場合において、その全体をＺ軸方向から見た形状は矩形となり、その大きさ（Ｘ軸方向、Ｙ軸方向の長さ）は振動体１０の大きさと同じである。
【００２６】
図３は、電極２０の形状を示す図である。図３に示すように電極２０−１，２０−２，２０−３は、この順でＹ軸正方向に並んでいる。そして、電極２０−１のうち、第１の電極部分である基部２０−Ａから第２の電極部分である櫛歯部分２０−Ｂ１，２０−Ｂ２，２０−Ｂ３が電極２０−２に向けて突出しており、電極２０−２のうち、第３の電極部分である基部２０−Ｃから第４の電極部分である櫛歯部分２０−Ｄ１，２０−Ｄ２，２０−Ｄ３が電極２０−１に向けて突出している。
【００２７】
櫛歯部分２０−Ｂ１，２０−Ｂ２，２０−Ｂ３は、この順でＸ軸正方向に間隔をあけて並んでおり、また、櫛歯部分２０−Ｄ１，２０−Ｄ２，２０−Ｄ３も、この順でＸ軸正方向に間隔をあけて並んでいて、これらは互いに組み合っている。したがって、これらはＸ軸方向に櫛歯部分２０−Ｂ１→２０−Ｄ１→２０−Ｂ２→２０−Ｄ２→２０−Ｂ３→２０−Ｄ３の順で配列される。
【００２８】
同様に、電極２０−２のうち、第３の電極部分である基部２０−Ｃから第５の電極部分である櫛歯部分２０−Ｅ１，２０−Ｅ２，２０−Ｅ３が電極２０−３に向けて突出しており、電極２０−３のうち、第６の電極部分である基部２０−Ｆから第７の電極部分である櫛歯部分２０−Ｇ１，２０−Ｇ２，２０−Ｇ３が電極２０−２に向けて突出している。
【００２９】
櫛歯部分２０−Ｅ１，２０−Ｅ２，２０−Ｅ３は、この順でＸ軸正方向に間隔をあけて並んでおり、また、櫛歯部分２０−Ｇ１，２０−Ｇ２，２０−Ｇ３も、この順でＸ軸正方向に間隔をあけて並んでいて、これらは互いに組み合っている。したがって、これらはＸ軸方向に櫛歯部分２０−Ｅ１→２０−Ｇ１→２０−Ｅ２→２０−Ｇ２→２０−Ｅ３→２０−Ｇ３の順で配列される。
【００３０】
図３における電極２０−１の隅（図３における左下隅）の点をＸＹＺ座標の原点Ｏとする。Ｙ軸方向に沿った原点Ｏからの距離はＹ座標として表される。基部２０−Ａは、電極２０−１の一部であり、上述した原点Ｏを含む。基部２０−ＡのＹ軸方向の長さは、長さＬ１である。したがって、基部２０−Ａから基部２０−Ｃに向けて突出する櫛歯部分２０−Ｂ１〜Ｂ３の根本のＹ座標はＹ１＝Ｌ１である。つまり、基部２０−Ａの端部のうち、原点Ｏと反対側の端部のＹ座標はＹ１＝Ｌ１である。
【００３１】
基部２０−Ａと基部２０−Ｃとは、Ｙ軸方向に長さＬ２だけ離れている。つまり、基部２０−Ｃの端部のうち、Ｙ軸方向に垂直な端部であって原点Ｏ側の端部のＹ座標はＹ２＝（Ｌ１＋Ｌ２）である。
櫛歯部分２０−Ｂ１〜Ｂ３のＹ軸方向の長さは、長さＬ２未満である。したがって、基部２０−Ｃと櫛歯部分２０−Ｂ１〜Ｂ３とは接触しない。また、基部２０−Ｃから基部２０−Ａに向けて突出する櫛歯部分２０−Ｄ１〜Ｄ３のＹ軸方向の長さは、長さＬ２未満である。したがって、基部２０−Ａと櫛歯部分２０−Ｄ１〜Ｄ３とは接触しない。
【００３２】
基部２０−ＣのＹ軸方向の長さは、長さＬ３である。したがって、基部２０−Ｃから基部２０−Ｆに向けて突出する櫛歯部分２０−Ｅ１〜Ｅ３の根本のＹ座標はＹ３＝（Ｌ１＋Ｌ２＋Ｌ３）である。つまり、基部２０−Ｃの端部のうち、原点Ｏと反対側の端部のＹ座標はＹ３＝（Ｌ１＋Ｌ２＋Ｌ３）である。
【００３３】
基部２０−Ｃと基部２０−Ｆとは、Ｙ軸方向に長さＬ４だけ離れている。つまり、基部２０−Ｆの端部のうち、Ｙ軸方向に垂直な端部であって原点Ｏ側の端部のＹ座標はＹ４＝（Ｌ１＋Ｌ２＋Ｌ３＋Ｌ４）である。
櫛歯部分２０−Ｅ１〜Ｅ３のＹ軸方向の長さは、長さＬ４未満である。したがって、基部２０−Ｆと櫛歯部分２０−Ｅ１〜Ｅ３とは接触しない。また、基部２０−Ｆから基部２０−Ｃに向けて突出する櫛歯部分２０−Ｇ１〜Ｇ３のＹ軸方向の長さは、長さＬ４未満である。したがって、基部２０−Ｃと櫛歯部分２０−Ｇ１〜Ｇ３とは接触しない。
【００３４】
基部２０−ＦのＹ軸方向の長さは、長さＬ５である。したがって、基部２０−Ｆの端部のうち、Ｙ軸方向に垂直な端部であって原点Ｏと反対側の端部のＹ座標はＹ５＝（Ｌ１＋Ｌ２＋Ｌ３＋Ｌ４＋Ｌ５）である。なお、電極２０−１，２０−２，２０−３のＸ軸方向の長さ（幅）は、長さＬｘである。
【００３５】
（静電型スピーカ１の電気的構成）
次に、静電型スピーカ１の電気的構成について説明する。図４は、静電型スピーカ１の電気的構成を示した図である。図４に示したように、静電型スピーカ１は変圧器５０−１，５０−２，５０−３と、それぞれ異なる音声信号が入力される入力部６０−１，６０−２，６０−３と、振動体１０に対して直流バイアスを与えるバイアス電源７０とを備えている。ここで、「音声信号」とは人間や動物など生体の「声」に限られず、音・音波を表す信号であればよい。また、「音声信号」は可聴範囲内の音を示す信号でもよいし、超音波など可聴範囲外の音を示す信号であってもよい。
【００３６】
バイアス電源７０は、正極側が振動体１０の導電膜に接続され、負極側が変圧器５０−１，５０−２，５０−３の出力側の中点に接続されている。
変圧器５０−１の出力側の一端は電極２０Ｕ−１に接続され、他端は電極２０Ｕ−１に対向している電極２０Ｌ−１に接続されている。そして、変圧器５０−１の入力側は入力部６０−１に接続されており、入力部６０−１に音声信号が入力されると音声信号に応じた電圧が電極２０Ｕ−１と電極２０Ｌ−１に印加される。この構成において、入力部６０−１に入力された音声信号に応じた電圧が、振動体１０を挟んで対向する電極２０Ｕ−１及び電極２０Ｌ−１に印加されることで、静電型スピーカ１は、プッシュプル型の静電型スピーカとして動作する。
【００３７】
変圧器５０−２の出力側の一端は電極２０Ｕ−２に接続され、他端は電極２０Ｕ−２に対向している電極２０Ｌ−２に接続されている。そして、変圧器５０−２の入力側は入力部６０−２に接続されており、入力部６０−２に音声信号が入力されると音声信号に応じた電圧が電極２０Ｕ−２と電極２０Ｌ−２に印加される。この構成において、入力部６０−２に入力された音声信号に応じた電圧が、振動体１０を挟んで対向する電極２０Ｕ−２及び電極２０Ｌ−２に印加されることで、静電型スピーカ１は、プッシュプル型の静電型スピーカとして動作する。
【００３８】
変圧器５０−３の出力側の一端は電極２０Ｕ−３に接続され、他端は電極２０Ｕ−３に対向している電極２０Ｌ−３に接続されている。そして、変圧器５０−３の入力側は入力部６０−３に接続されており、入力部６０−３に音声信号が入力されると音声信号に応じた電圧が電極２０Ｕ−３と電極２０Ｌ−３に印加される。この構成において、入力部６０−３に入力された音声信号に応じた電圧が、振動体１０を挟んで対向する電極２０Ｕ−３及び電極２０Ｌ−３に印加されることで、静電型スピーカ１は、プッシュプル型の静電型スピーカとして動作する。
【００３９】
入力部６０−１、入力部６０−２および入力部６０−３には、異なる音声信号である音声信号Ｒ、音声信号Ｍ及び音声信号Ｌがそれぞれ入力される。音声信号Ｒは、例えば、いわゆるバックグラウンドミュージックを表す音声信号である。音声信号Ｌは、音声信号Ｒと異なる音声信号であり、例えば、或る商品についての宣伝文句を話すナレータの声を表す音声信号である。音声信号Ｍは、音量が、予め決められた閾値未満の音を表す音声信号である。なお、音声信号Ｍは、無音を示す信号であってもよく、例えば、入力部６０−２に音声信号の入力が無くてもよい。また、入力部６０−２が変圧器５０−２に伝える音声信号Ｍが、決められた閾値未満の音量の音を示す音声信号となるように、入力部６０−２は、入力された音声信号を減衰する減衰手段を備えていてもよい。
【００４０】
図４に示すように、入力側の回路には３つのスイッチＳＷ１，ＳＷ２，ＳＷ３が備えられている。これら各スイッチは、端子間の接続状態を決めるものである。スイッチＳＷ１は、入力部６０−１に入力された音声信号Ｒを分岐して変圧器５０−２へ伝えるためのスイッチである。スイッチＳＷ２は、入力部６０−２に入力された音声信号Ｍを変圧器５０−２へ伝えるためのスイッチである。スイッチＳＷ３は、入力部６０−３に入力された音声信号Ｌを分岐して変圧器５０−２へ伝えるためのスイッチである。
【００４１】
図５は、スイッチの制御を説明するための図である。図５（ａ）に示すように、３つのスイッチＳＷ１，ＳＷ２，ＳＷ３は制御部８０によって制御される。制御部８０は、各スイッチを図５（ｂ）に示したケースＩ、ケースＩＩ、およびケースＩＩＩのいずれか１つの状態になるように制御し、各ケースにおいては、1つのスイッチのみがＯＮとなるように制御する。スイッチＳＷ１，ＳＷ２，ＳＷ３と、制御部８０とは、本発明における切替手段として機能する。また、スイッチＳＷ１，ＳＷ２，ＳＷ３と、制御部８０と、入力部６０−１，６０−２，６０−３、および変圧器５０−１，５０−２，５０−３は、本発明における電圧印加手段として機能する。
【００４２】
図５（ｂ）に示すように、スイッチＳＷ１がＯＮで、スイッチＳＷ２およびスイッチＳＷ３がＯＦＦになっているケースＩのとき、電極２０−２には、入力部６０−１に入力された音声信号Ｒに応じた電圧が印加される。
また、スイッチＳＷ２がＯＮで、スイッチＳＷ１およびスイッチＳＷ３がＯＦＦになっているケースＩＩのとき、電極２０−２には、入力部６０−２に入力された音声信号Ｍに応じた電圧が印加される。
また、スイッチＳＷ３がＯＮで、スイッチＳＷ１およびスイッチＳＷ２がＯＦＦになっているケースＩＩＩのとき、電極２０−２には、入力部６０−３に入力された音声信号Ｌに応じた電圧が印加される。
【００４３】
なお、上述したどのケースであっても、電極２０−１には、入力部６０−１に入力された音声信号Ｒに応じた電圧が印加され、電極２０−３には、入力部６０−３に入力された音声信号Ｌに応じた電圧が印加される。
【００４４】
（静電型スピーカ１の動作）
次に、静電型スピーカ１の動作について説明する。以下、上述した各ケースについて（１）ケースＩＩ、（２）ケースＩ、（３）ケースＩＩＩ、の３つの場合に分けて考える。
【００４５】
（１）ケースＩＩ
各スイッチは図５（ｂ）に示したケースＩＩの状態となっている。すなわち、電極２０−１には、入力部６０−１に入力された音声信号Ｒに応じた電圧が印加され、電極２０−２には、入力部６０−２に入力された音声信号Ｍに応じた電圧が印加され、電極２０−３には、入力部６０−３に入力された音声信号Ｌに応じた電圧が印加される。
【００４６】
図６は、電極２０と振動体１０の形状と音圧を模式的に説明する図である。なお、図６（ａ）の破線は、電極２０の櫛歯部分及び基部の形状を表している。図６（ａ）に示すように、振動体１０の第１部分１０−１の形状は、電極２０−１の形状と同様にＺ軸正方向からみて櫛歯状となっており、振動体１０の第２部分１０−２の形状は、電極２０−２の形状と同様にＺ軸正方向からみて櫛歯状となっている。ここにおいて、振動体１０の第１部分１０−１において、電極２０Ｕ−１の櫛歯部分２０Ｕ−Ｂ１〜Ｂ３と、電極２０Ｌ−１の櫛歯部分２０Ｌ−Ｂ１〜Ｂ３との間にある部分を第１櫛歯領域１１−Ｂとし、残りの部分を第１基部領域１１−Ａとする。
【００４７】
また、振動体１０の第２部分１０−２において、電極２０Ｕ−２の櫛歯部分２０Ｕ−Ｄ１〜Ｄ３と、電極２０Ｌ−２の櫛歯部分２０Ｌ−Ｄ１〜Ｄ３との間にある部分を第２櫛歯領域１１−Ｄとし、電極２０Ｕ−２の櫛歯部分２０Ｕ−Ｅ１〜Ｅ３と、電極２０Ｌ−２の櫛歯部分２０Ｌ−Ｅ１〜Ｅ３との間にある部分を第３櫛歯領域１１−Ｅとし、残りの部分を第２基部領域１１−Ｃとする。
また、振動体１０の第３部分１０−３において、電極２０Ｕ−３の櫛歯部分２０Ｕ−Ｇ１〜Ｇ３と、電極２０Ｌ−３の櫛歯部分２０Ｌ−Ｇ１〜Ｇ３との間にある部分を第４櫛歯領域１１−Ｇとし、残りの部分を第３基部領域１１−Ｆとする。
【００４８】
図６（ｂ）において、横軸は、その位置のＹ座標（ｍｍ）を表し、縦軸は、その位置で振動体１０から出力される音の音圧（ｄＢ）を表している。
まず、振動体１０のうち、原点Ｏから座標Ｙ１までの領域では、第１基部領域１１−Ａのみが存在しているから、音声信号Ｒに応じた音の音圧Ｒαのみを得ることができる。
次に、振動体１０のうち、座標Ｙ１から座標Ｙ２までの領域では、第１櫛歯領域１１−Ｂが存在しているから、音声信号Ｒに応じた音の音圧Ｒβを得ることができる。ここで、図６（ａ）に示したように、第１櫛歯領域１１−Ｂの面積は第１基部領域１１−Ａよりも面積が狭いから、その面積にほぼ比例して音圧Ｒβは音圧Ｒαよりも小さくなる。また、この領域においては、第１櫛歯領域１１−Ｂだけでなく、第２櫛歯領域１１−Ｄも存在しているから、音声信号Ｍに応じた音の音圧Ｍβも得ることができる。したがって、振動体１０の座標Ｙ１から座標Ｙ２までの領域においては、音声信号Ｍに応じた音の音圧Ｍβ及び音声信号Ｒに応じた音の音圧Ｒβを夫々得ることができる。
そして、振動体１０の座標Ｙ２から座標Ｙ３までの領域では、第２基部領域１１−Ｃのみが存在しているから、音声信号Ｍに応じた音の音圧Ｍαのみを得ることができる。ここで、図６（ａ）に示したように、第２基部領域１１−Ｃの面積は第２櫛歯領域１１−Ｄの面積よりも広いから、その面積にほぼ比例して音圧Ｍαは音圧Ｍβよりも大きくなる。
【００４９】
振動体１０のうち、座標Ｙ３から座標Ｙ４までの領域では、第３櫛歯領域１１−Ｅが存在しているから、音声信号Ｍに応じた音の音圧Ｍβを得ることができる。ここで、図６（ａ）に示したように、第３櫛歯領域１１−Ｅの面積は第３基部領域１１−Ｃよりも面積が狭いから、その面積にほぼ比例して音圧Ｍβは音圧Ｍαよりも小さくなる。また、この位置においては、第３櫛歯領域１１−Ｅだけでなく、第４櫛歯領域１１−Ｇも存在しているから、音声信号Ｌに応じた音の音圧Ｌβも得ることができる。したがって、振動体１０の座標Ｙ３から座標Ｙ４までの領域においては、音声信号Ｍに応じた音の音圧Ｍβ及び音声信号Ｌに応じた音の音圧Ｌβを夫々得ることができる。
【００５０】
そして、振動体１０の座標Ｙ４から座標Ｙ５までの領域では、第３基部領域１１−Ｆのみが存在しているから、音声信号Ｌに応じた音の音圧Ｌαのみを得ることができる。ここで、図６（ａ）に示したように、第３基部領域１１−Ｆの面積は第４櫛歯領域１１−Ｇの面積よりも広いから、その面積にほぼ比例して音圧Ｌαは音圧Ｌβよりも大きくなる。
【００５１】
このように、静電型スピーカ１は、座標Ｙ１から座標Ｙ２までの領域に居る人に対し、音声信号Ｒに応じた音及び音声信号Ｍに応じた音を聴かせることができる。その一方で、静電型スピーカ１は、原点Ｏの位置から座標Ｙ１までの領域に居る人に対し、音声信号Ｒに応じた音を聴かせることができ、また、座標Ｙ２から座標Ｙ３までの領域に居る人に対し、音声信号Ｍに応じた音を聴かせることができる。
【００５２】
同様に、静電型スピーカ１は、座標Ｙ４から座標Ｙ５までの領域に居る人に対し、音声信号Ｌに応じた音を聴かせることができる。
また、静電型スピーカ１は、座標Ｙ３から座標Ｙ４までの領域に居る人に対し、音声信号Ｌに応じた音及び音声信号Ｍに応じた音を聴かせることができる。
【００５３】
静電型スピーカ１のこのような作用を利用して、静電型スピーカ１を、広告媒体として用いた場合の効果について説明する。図７は、広告媒体として用いた静電型スピーカ１の概略図である。図７に示したように、静電型スピーカ１は、その最外面を音響透過性及び絶縁性を有したカバー部材９０で覆われている例を想定する。このカバー部材９０の絶縁性により、意図しない放電の発生する可能性が下がる。カバー部材９０の表面には、広告に関連する画像（広告画像９１）が形成されている。そして、静電型スピーカ１は、Ｘ軸正方向を上にして壁に貼り付けられている。そして、バックグラウンドミュージックを表す音声信号Ｒが入力部６０−１に入力され、広告画像９１に応じた宣伝文句を表す音声信号Ｌが入力部６０−３に入力される。このような状況において、聴者となる通行人が、振動体１０の原点付近からＹ軸正方向に向かって歩行した場合を考える。
【００５４】
ケースＩＩにおいて、無音を示す音声信号である音声信号Ｍが入力部６０−２に入力される。ここで無音とは、音量が０である音にとどまらず、音量が予め決められた閾値未満の音である。即ち、上述した音圧Ｍαは、この予め決められた閾値未満となるように設定される。
【００５５】
通行人は、振動体１０の原点Ｏから座標Ｙ１に至るまでは、静電型スピーカ１から発せられたバックグラウンドミュージック（音声信号Ｒ）の音を聴くこととなる。通行人は、その音に気付いて音の発生方向を見たときに、静電型スピーカ１を覆う広告画像９１を視認することとなる。次に、通行人がＹ軸の正方向に歩行を続けて、振動体１０の座標Ｙ１から座標Ｙ２までの領域に来ると、音声信号Ｍの音は無音であるため、原点Ｏから座標Ｙ１までの領域で聴いていた音に比べて音量の小さくなったバックグラウンドミュージック（音声信号Ｒ）のみを聴くことになる。
【００５６】
次に、通行人が歩行を続けて、振動体１０の座標Ｙ２から座標Ｙ３までの領域に来ると、通行人が聴く音は無音になる。すなわち、ここで通行人はバックグラウンドミュージック（音声信号Ｒ）および宣伝文句（音声信号Ｌ）のいずれの音も聴かない。そして、通行人がさらに歩行を続けて、振動体１０の座標Ｙ３から座標Ｙ４までの領域に来ると、通行人は、宣伝文句（音声信号Ｌ）を聴くこととなる。そして、座標Ｙ４を超えると、振動体１０のうち音声信号Ｍに従う領域が無くなるため、通行人はそれまでよりも音量が大きくなった宣伝文句（音声信号Ｌ）のみを聴く。この状態は、通行人が座標Ｙ５に至るまで続く。従って、このケースＩＩの場合、通行人はバックグラウンドミュージック（音声信号Ｒ）と宣伝文句（音声信号Ｌ）とを別々の領域で聴き、両者が混ざった音を聴くことがない。
【００５７】
（２）ケースＩ
各スイッチは図５（ｂ）に示したケースＩの状態となっている。すなわち、電極２０−１には、入力部６０−１に入力された音声信号Ｒに応じた電圧が印加され、電極２０−２には、入力部６０−２に入力された音声信号Ｒに応じた電圧が印加され、電極２０−３には、入力部６０−３に入力された音声信号Ｌに応じた電圧が印加される。
【００５８】
通行人は、振動体１０の原点Ｏから座標Ｙ１に至るまでは、静電型スピーカ１から発せられたバックグラウンドミュージック（音声信号Ｒ）の音を聴くこととなる。通行人は、その音に気付いて音の発生方向を見たときに、静電型スピーカ１を覆う広告画像９１を視認することとなる。次に、通行人がＹ軸の正方向に歩行を続けて、振動体１０の座標Ｙ１から座標Ｙ２までの領域に来ると、音声信号Ｒの音に加えて変圧器５０−２に伝えられた音声信号が示す音を聴くことになる。このとき、変圧器５０−２に伝えられた音声信号は音声信号Ｒであるから、通行人はバックグラウンドミュージックの音を、引き続き聴くことになる。
【００５９】
ここで、振動体１０の座標Ｙ１から座標Ｙ２までの領域のうち、変圧器５０−１により振動させられる部分は、通行人が振動体１０の原点Ｏから座標Ｙ１に至るまでに比べて、減少している。したがって、変圧器５０−１に伝えられた音声信号Ｒによる音の音量は減少している。しかし、この減少した音量は、変圧器５０−２に伝えられた音声信号Ｒによる音で補われるため、通行人は、この座標Ｙ１から座標Ｙ２までの領域においても、原点Ｏから座標Ｙ１に至るまでの領域と変わらぬ音量でバックグラウンドミュージックの音を聴く。
【００６０】
そして、通行人は振動体１０の座標Ｙ２を超えると、変圧器５０−２に伝えられた音声信号Ｒによる音のみを聴く。座標Ｙ２を超えると、変圧器５０−１に伝えられた音声信号Ｒによる音は無くなるが、変圧器５０−２に伝えられた音声信号Ｒによる音の音量が増加するため、通行人は、変わらぬ音量でバックグラウンドミュージックの音を聴く。この状態は、通行人が、原点ＯからＹ軸の正方向に歩行を続けて、座標Ｙ３に来るまで続く。次に、通行人が歩行を続けて、振動体１０の座標Ｙ３から座標Ｙ４までの領域に来ると、バックグラウンドミュージック（変圧器５０−２に伝えられた音声信号Ｒ）の音に加えて宣伝文句（音声信号Ｌ）を聴くことになる。このとき、通行人は広告画像９１の内容を見ながら、バックグランドミュージックに加えて、広告画像９１に応じた宣伝文句を聴くこととなる。つまり、これは複数の音を混合した音を聴く状態であるから、この通行人がバックグラウンドミュージックによるにぎやかな雰囲気の中で、広告に対する興味を持つようになることを期待できる。
【００６１】
そして、通行人がさらにＹ軸の正方向に歩行を続けると、振動体１０の座標Ｙ４から座標Ｙ５までの領域において、バックグラウンドミュージックは聴こえなくなり、宣伝文句のみを、バックグランドミュージックと混合されていたそれよりも大きい音量で聴くことになる。このように、通行人はバックグラウンドミュージックによるにぎやかな雰囲気から一変して、広告の宣伝文句のみをより大きな音量で聴くことがきる状態、つまりその宣伝文句を注意深く聴き内容を理解しやすい状態に変化するので、広告の内容そのものに対する理解が深まることが期待できる。このように、静電型スピーカ１は、聴者との相対的な位置関係に応じて聴者に聴かせる音を変化させることで、広告に対する聴者の注意を喚起することができる。静電型スピーカの広告媒体としての訴求効果が高い。
【００６２】
（３）ケースＩＩＩ
各スイッチは図５（ｂ）に示したケースＩＩＩの状態となっている。すなわち、電極２０−１には、入力部６０−１に入力された音声信号Ｒに応じた電圧が印加され、電極２０−２には、入力部６０−２に入力された音声信号Ｌに応じた電圧が印加され、電極２０−３には、入力部６０−３に入力された音声信号Ｌに応じた電圧が印加される。
【００６３】
通行人は、振動体１０の原点Ｏから座標Ｙ１に至るまでは、静電型スピーカ１から発せられたバックグラウンドミュージック（音声信号Ｒ）の音を聴くこととなる。通行人は、その音に気付いて音の発生方向を見たときに、静電型スピーカ１を覆う広告画像９１を視認することとなる。次に、通行人がＹ軸の正方向に歩行を続けて、振動体１０の座標Ｙ１から座標Ｙ２までの領域に来ると、音声信号Ｒの音に加えて変圧器５０−２に伝えられた音声信号が示す音を聴くことになる。この場合、変圧器５０−２に伝えられた音声信号は音声信号Ｒと異なり、宣伝文句を表す音声信号Ｌと同じ音声信号であるので、通行人は、バックグラウンドミュージック（音声信号Ｒ）の音に加えて宣伝文句（変圧器５０−２に伝えられた音声信号Ｌ）を聴くことになる。通行人が歩行を続けて、振動体１０の座標Ｙ２に至ると、その後は音声信号Ｒの音を聴く領域から離れるため、通行人は、宣伝文句のみを、バックグランドミュージックと混合されていたそれよりも大きい音量で聴くこととなる。
【００６４】
そして、通行人が歩行を続けて、振動体１０の座標Ｙ３から座標Ｙ４までの領域に来ると、通行人は、変圧器５０−２に伝えられた音声信号Ｌに加えて変圧器５０−３に伝えられた音声信号Ｌを聴くこととなるが、これらが同じ宣伝文句であるため、通行人はこのことに気付かずに、この宣伝文句のみを、引き続き聴くこととなる。また、振動体１０の座標Ｙ３から座標Ｙ４までの領域において、変圧器５０−２に伝えられた音声信号Ｌによる音の音量は、振動体１０の座標Ｙ３から座標Ｙ４までの領域にいたときよりも減少しているが、変圧器５０−３に伝えられた音声信号Ｌによる音の音量によって補われるため、通行人は、変わらぬ音量で引き続き宣伝文句を聴く。
この場合であっても、（２）と同様に、通行人が歩行に伴って聴く音は、バックグラウンドミュージックのみから、バックグラウンドミュージックに宣伝文句が加えられた音に遷移し、さらに宣伝文句の音のみに遷移する。
【００６５】
以上説明した（１）〜（３）の音場は、変圧器５０−２に伝える音声信号を切り替える制御によって、相互に切り替えられる。つまり、変圧器５０−２に伝える音声信号を、音声信号Ｒまたは音声信号Ｌのいずれか一方から他方へ切り替えることで、静電型スピーカ１は、バックグラウンドミュージックと宣伝文句という互いに異なる音が混ざって聴こえる位置を切り替えることができる。この位置を切り替えることができるということは、すなわち、互いに異なる音がそれぞれ単独で聴こえる領域の大きさを変えることができるということも意味する。
【００６６】
また、変圧器５０−２に伝える音声信号を、音声信号Ｒまたは音声信号Ｌから無音を示す音声信号Ｍへ切り替えることで、静電型スピーカ１は、バックグラウンドミュージックと宣伝文句とが混ざって聴こえる位置をなくして、無音の領域を設定することができる。無音の領域を設定すると、静電型スピーカ１は、図６に示した原点ＯからＹ軸正方向に向かうにつれて、まず音声信号Ｒによる音が、一定の音量で聴こえる領域があり、次にその音声信号Ｒによる音の音量が次第に下がる領域があり、無音の領域に至る。そして、さらにＹ軸正方向に進むと、音声信号Ｌによる音の音量が次第に上がる領域があり、その音声信号Ｌによる音が、一定の音量で聴こえる領域に至る。つまり、この静電型スピーカ１は、音声信号Ｒによる音および音声信号Ｌによる音を、それぞれ別々に提示するとともに、各音量に変化をつけることができる。そして、変圧器５０−２に伝える音声信号を、無音を示す音声信号Ｍから音声信号Ｒまたは音声信号Ｌへ切り替えることで、静電型スピーカ１は、バックグラウンドミュージックと宣伝文句とが混ざって聴こえる位置を出現させることができる。
【００６７】
従って、上述した静電型スピーカ１によれば、広告媒体の内容（例えば、複数の音声の内容と画像の内容など）やその広告の狙い、設置環境等に応じて、複数種類の音声の提示のしかたを、一つの静電型スピーカによって、複数の態様で実行できる。
【００６８】
［変形例］
上述した実施形態の内容を以下のように変形してもよい。以下に示す各変形例は、必要に応じて組み合わせて実施されてもよい。
【００６９】
（変形例１）
上述した実施形態においては、電極２０−１，２０−２，２０−３は互いに接触しないように間隔を開けてスペーサ３０に固定されているが、各電極間に絶縁体を配置して隣あう電極が互いに接触しないようにしてもよい。この構成によれば、静電型スピーカ１は、電極同士が接触しない上に、絶縁体を介して隣り合うように配置されているので短絡することがない。
【００７０】
（変形例２）
上述した実施形態においては、電極２０−１，２０−２，２０−３は導電性を有する金属で形成されているが、導電性を有する糸を織った布であってもよい。また、電極２０−１，２０−２，２０−３と振動体１０との間に設けられたスペーサ３０は可撓性を有する材質で形成されてもよい。この場合、スペーサ３０は、可撓性及び絶縁性を有し、振動体１０と電極２０とを離間させて、振動体１０と電極２０との間に空気層を形成するための離間部材である。スペーサ３０は、Ｚ軸方向からみて矩形の形状である。スペーサ３０のＸ軸方向の長さと、振動体１０のＸ軸方向の長さは同じであり、スペーサ３０のＹ軸方向の長さと、振動体１０のＹ軸方向の長さは同じである。この構成によれば、静電型スピーカ１ａは、その形状を曲面状にしたり折り曲げたりするなど自在に変形させることができる。
【００７１】
（変形例３）
上述した実施形態においては、電極２０−１の櫛歯部分２０−Ｂ１〜Ｂ３、電極２０−２の櫛歯部分２０−Ｄ１〜Ｄ３、電極２０−２の櫛歯部分２０−Ｅ１〜Ｅ３、および電極２０−３の櫛歯部分２０−Ｇ１〜Ｇ３は、Ｚ軸正方向からみて矩形の形状となっていたが、矩形以外の形状であってもよい。図８は、この変形例における電極２０と振動体１０の形状と音圧を説明する図である。例えば、図８（ａ）に示すように、上述した電極２０−１に代わる電極２０−１ｂの櫛歯部分、上述した電極２０−２に代わる電極２０−２ｂの櫛歯部分、および上述した電極２０−３に代わる電極２０−３ｂの櫛歯部分が、Ｚ軸正方向からみて三角形の形状であってもよい。なお、図８（ａ）において、波線を付した箇所については、夫々の構成要素のＹ軸方向の長さを省略したことを示している。
【００７２】
この場合、電極２０−１ｂの櫛歯部分は、基部から距離が大きくなるほど、その幅が徐々に小さくなり、電極２０−２ｂの櫛歯部分は、基部から距離が大きくなるほど、その幅が徐々に小さくなる。ここでいう幅とは、突出方向に垂直な方向であって、振動体１０の振動面に平行な方向の長さをいう。更にこの場合には、振動体１０において、電極２０Ｕ−１ｂの櫛歯部分と、電極２０Ｌ−１ｂの櫛歯部分との間にある部分もＺ軸正方向からみて三角形の形状となる。この部分を、第１櫛歯領域１１−Ｂｂとする。同様に、振動体１０において、電極２０Ｕ−２ｂの櫛歯部分と、電極２０Ｌ−２ｂの櫛歯部分との間にある部分もＺ軸正方向からみて三角形の形状となる。この部分を、第２櫛歯領域１１−Ｄｂとする。そして、振動体１０において、第１櫛歯領域１１−Ｂｂ及び第２櫛歯領域１１−ＤｂのＹ軸方向の長さをＬ２、それ以外の部分（第１基部領域１１−Ａｂ及び第２基部領域１１−Ｃｂ）のＹ軸方向の長さをＹ軸正方向に向かって順にＬ１，Ｌ３とする。電極２０Ｕ−１ｂ，２０Ｌ−１ｂには音声信号Ｒに応じた電圧が印加され、電極２０Ｕ−２ｂ，２０Ｌ−２ｂには音声信号Ｍに応じた電圧が印加される。この場合において、振動体１０から発生した音の音圧について図８（ｂ）を用いて説明する。また、座標Ｙ１〜Ｙ５については、図３に示したものと同じである。
【００７３】
図８（ｂ）において、横軸は振動体１０の原点Ｏ（ここでは図８（ａ）の右下隅）からのＹ軸正方向の位置（ｍｍ）を表し、縦軸はその位置で得ることができる音の音圧（デシベル）を表している。振動体１０の原点Ｏから座標Ｙ１までの領域では、音声信号Ｒに応じた一定の大きさの音の音圧Ｒαのみを得ることができる。また、振動体１０の座標Ｙ２から座標Ｙ３までの領域では、音声信号Ｍに応じた音の音圧Ｍαのみを得ることができる。そして、振動体１０の座標Ｙ１から座標Ｙ２までの領域においては、まず、第１櫛歯領域１１−Ｂｂが存在しているから、音声信号Ｒに応じた音の音圧を得ることができる。
【００７４】
ここで、図８（ａ）に示したように、第１櫛歯領域１１−Ｂｂの面積は、振動体１０の座標Ｙ１からＹ軸正方向に向かうにつれて徐々に小さくなり、振動体１０の座標Ｙ２において０となる。したがって、第１櫛歯領域１１−Ｂｂの面積にほぼ比例する音声信号Ｒに応じた音の音圧は、振動体１０の座標Ｙ１において音圧Ｒαであるが、振動体１０の座標Ｙ１から座標Ｙ２に向かうにつれて徐々に小さくなり、振動体１０の座標Ｙ２において音圧０となる。更に、振動体１０の座標Ｙ１から座標Ｙ２においては、第１櫛歯領域１１−Ｂｂだけでなく、第２櫛歯領域１１−Ｄｂも存在しているから、音声信号Ｍに応じた音の音圧も得ることができる。ここで、図８（ａ）に示したように、第２櫛歯領域１１−Ｄｂの面積は、振動体１０の座標Ｙ２からＹ軸負方向に向かうにつれて徐々に小さくなり、振動体１０の座標Ｙ１において０となる。したがって、第２櫛歯領域１１−Ｄｂの面積にほぼ比例する音声信号Ｍに応じた音の音圧は、振動体１０の座標Ｙ２において音圧Ｍαであるが、振動体１０の座標Ｙ２から座標Ｙ１に向かうにつれて徐々に小さくなり、振動体１０の座標Ｙ１においては音圧０となる。
【００７５】
この静電型スピーカ１ｂは、振動体１０の原点Ｏから座標Ｙ１までの領域、座標Ｙ２から座標Ｙ３までの領域、および座標Ｙ４から座標Ｙ５までの領域では、音の音圧は一定の大きさである。一方、この静電型スピーカ１ｂは、電極２０−１ｂ，２０−２ｂを備えているので、振動体１０の座標Ｙ１から座標Ｙ２までの領域で、音声信号Ｍ及び音声信号Ｒに応じた音の音圧を徐々に変化させることができる。同様に、この静電型スピーカ１ｂは、電極２０−２ｂ，２０−３ｂを備えているので、振動体１０の座標Ｙ３から座標Ｙ４までの領域で、音声信号Ｍおよび音声信号Ｌに応じた音の音圧を徐々に変化させることができる。
【００７６】
なお、本変形例においては、図８（ａ）に示すように、電極２０−１ｂ，２０−２ｂ，２０−３ｂの櫛歯部分がＺ軸正方向からみて三角形の形状であるものとしたが櫛歯部分の形状これに限られない。基部からの距離が大きくなるほど、櫛歯部分の幅が徐々に小さくなればよく、例えば、波形のように曲線の構造を有していてもよい。
【００７７】
（変形例４）
上述した実施形態においては、電極２０−１の櫛歯部分２０−Ｂ１〜Ｂ３、電極２０−２の櫛歯部分２０−Ｄ１〜Ｄ３、電極２０−２の櫛歯部分２０−Ｅ１〜Ｅ３、および電極２０−３の櫛歯部分２０−Ｇ１〜Ｇ３における複数の切り込み部分または突出する部分は、Ｙ軸方向の長さが夫々同じとなっていたが、Ｙ軸方向の長さが夫々異なっていてもよい。例えば、図９に示すように、上述した電極２０−１に代わる電極２０−１ｃの櫛歯部分２０−Ｂｃの３つの切り込み、及び上述した電極２０−２に代わる電極２０−２ｃの櫛歯部分２０−Ｄｃの３つの切り込みのＹ軸方向のそれぞれの長さが、Ｘ軸正方向に向かうにつれて次第に短くなるようにしてもよい。なお、図９では、電極２０−１に代わる電極２０−１ｃと、電極２０−２に代わる電極２０−２ｃとの間で組み合わさる櫛歯部分について説明するが、電極２０−２と電極２０−３との間で組み合わさる櫛歯部分についても同様である。
【００７８】
この電極２０−１ｃ，２０−２ｃを備えた静電型スピーカ１ｃは、電極２０−１ｃ，２０−２ｃのＸ軸正方向が上方向となるように壁などに貼り付けられることにより、聴者の耳の高さに応じて異なる音を発生させることができる。これは、例えば背の低い子供に対しては、音声信号Ｍ及び音声信号Ｒをミキシングした状態を長期間維持したい一方、背の高い大人に対しては、音声信号Ｍ及び音声信号Ｒをミキシングした状態を短期間維持するだけでよいといった利用シーンに適している。
【００７９】
（変形例５）
上述した実施形態においては、電極２０−１の櫛歯部分２０−Ｂ１〜Ｂ３と、電極２０−２の櫛歯部分２０−Ｄ１〜Ｄ３とは、入り組んだ状態で互いに接触しないように間隔を開けてスペーサ３０に固着されていた。また、電極２０−２の櫛歯部分２０−Ｅ１〜Ｅ３と、電極２０−３の櫛歯部分２０−Ｇ１〜Ｇ３とは、入り組んだ状態で互いに接触しないように間隔を開けてスペーサ３０に固着されていた。しかしながら、電極２０−１の櫛歯部分の数、電極２０−２の櫛歯部分の数及び電極２０−３の櫛歯部分の数はこれに限られない。例えば、図１０（ａ）に示すように、上述した電極２０−１に代わる電極２０−１ｄは、基部２０−Ａｄ（第１の電極部分）と、基部２０−Ａｄから電極２０−２ｄに向かって突出する櫛歯部分２０−Ｂｄ（第２の電極部分）を有し、さらに、上述した電極２０−２に代わる電極２０−２ｄは、基部２０−Ｃｄ（第３の電極部分）と、基部２０−Ｃｄから電極２０−１ｄに向かって突出する櫛歯部分２０−Ｄｄ（第４の電極部分）を有していればよい。そして、更に、振動体１０から見て同じ側にある電極群のうち、２つの櫛歯部分２０−Ｂｄによって挟まれる位置に、櫛歯部分２０−Ｄｄが配置されていればよい。
【００８０】
つまり、隣接する電極２０−１ｄと電極２０−２ｄとは、いずれか一方から突出する２つの櫛歯部分によって他方から突出する櫛歯部分を挟む配置になっていればよい。この場合、図１０（ａ）に示したように、一方の電極から突出する２つの櫛歯部分によって挟まれる他方の電極の櫛歯部分は１枚であってもよい。なお、電極２０−１に代わる電極２０−１ｄと、電極２０−２に代わる電極２０−２ｄとの間で組み合わさる櫛歯部分について説明したが、電極２０−２と電極２０−３との間で組み合わさる櫛歯部分についても同様である。
【００８１】
更に、電極２０−１の櫛歯部分及び電極２０−２の櫛歯部分の間隔は均一でなくてもよい。例えば、図１０（ｂ）に示すように、上述した電極２０−１に代わる電極２０−１ｅは、基部２０−Ａｅと、基部２０−Ａｅから電極２０−２ｅに向かって突出する櫛歯部分２０−Ｂ１ｅ，２０−Ｂ２ｅを有し、さらに、上述した電極２０−２に代わる電極２０−２ｅは、基部２０−Ｃｅと、基部２０−Ｃｅから電極２０−１ｅに向かって突出する櫛歯部分２０−Ｄ１ｅ，２０−Ｄ２ｅを有している。櫛歯部分２０−Ｂ１ｅ，２０−Ｂ２ｅ及び櫛歯部分２０−Ｄ１ｅ，２０−Ｄ２ｅは、Ｚ軸正方向からみて矩形の形状となっており、夫々のＸ軸方向及びＹ軸方向の長さが同じである。櫛歯部分２０−Ｂ１ｅと櫛歯部分２０−Ｄ１ｅのＸ軸方向の間隔は、櫛歯部分２０−Ｂ２ｅと櫛歯部分２０−Ｄ２ｅのＸ軸方向の間隔と同じであり、櫛歯部分２０−Ｂ１ｅと櫛歯部分２０−Ｄ２ｅのＸ軸方向の間隔よりも短い。櫛歯部分２０−Ｂ１ｅと櫛歯部分２０−Ｄ２ｅの間のように、電極２０Ｕ−１ｅと電極２０Ｌ−１ｅ、電極２０Ｕ−２ｅと電極２０Ｌ−２ｅに挟まれていない振動体１０の部分（以降、空隙部分１３という）は、振動して音を発生することがない。このように構成された電極２０−１ｅ及び電極２０−２ｅを備えた静電型スピーカ１ｅは、空隙部分１３を設けることで、出力する音の音圧を調整することができる。これは、例えば空隙部分１３に対向する位置に居る人に対しては音を聴かせない状態にしたい一方、空隙部分１３に対向する位置以外に居る人に対しては音を聴かせる状態にしたいといった利用シーンに適している。なお、電極２０−１に代わる電極２０−１ｅと、電極２０−２に代わる電極２０−２ｅとの間で組み合わさる櫛歯部分について説明したが、電極２０−２と電極２０−３との間で組み合わさる櫛歯部分についても同様である。また、隣接する２つの電極２０から突出する櫛歯部分は、それぞれ１枚ずつであってもよい。この場合であっても、例えば、一方の電極２０から突出する櫛歯部分の根元から先端までは、他方の電極２０から突出する櫛歯部分の先端から根元までに沿っており、この境界線上において各電極２０に由来する音は混合するからである。
【００８２】
（変形例６）
上述した実施形態においては、１つの振動体１０を挟むように電極２０−１，２０−２，２０−３が配置されていたが、電極２０−１，２０−２，２０−３のそれぞれに挟まれる振動体が互いに分離していてもよい。図１１は、この変形例に係る静電型スピーカ１ｆの外観を示した斜視図である。図１１に示すように、静電型スピーカ１ｆは、第１の静電放音部に相当する放音部４０−１と、第２の静電放音部に相当する放音部４０−２と、第３の静電放音部に相当する放音部４０−３とを備えている。これら放音部４０−１、放音部４０−２及び放音部４０−３はそれぞれが単体で機能し得る静電型スピーカとして構成されている。即ち、各放音部は、それぞれ振動体と電極とを対として、互いに分離、独立して構成される。
【００８３】
まず、静電型スピーカ１ｆの各部の構成について説明する。振動体１０−１ｆ，１０−２ｆ，１０−３ｆは、例えば、ＰＥＴまたはＰＰなどの透明フィルムの表面に、導電性を有する金属の導電膜を形成したものである。振動体１０−１ｆ，１０−２ｆ，１０−３ｆの厚さは、数μｍ程度の厚さで薄い膜状となっているため、外力を受けると自在に変形する。振動体１０−１ｆはＺ軸方向からみて電極２０−１の形状と同じであり、振動体１０−２ｆはＺ軸方向からみて電極２０−２の形状と同じであり、振動体１０−３ｆはＺ軸方向からみて電極２０−３の形状と同じである。スペーサ３０Ｕ−１ｆ，３０Ｌ−１ｆ，３０Ｕ−２ｆ，３０Ｌ−２ｆ，３０Ｕ−３ｆ，３０Ｌ−３ｆは、絶縁性及び音響透過性を有する素材で形成されていれば、スポンジ状、シート状、不織布など様々な形態をとることができる。スペーサ３０Ｕ−１ｆ，３０Ｌ−１ｆはＺ軸方向からみて電極２０−１の形状と同じであり、スペーサ３０Ｕ−２ｆ，３０Ｌ−２ｆはＺ軸方向からみて電極２０−２の形状と同じであり、スペーサ３０Ｕ−３ｆ，３０Ｌ−３ｆはＺ軸方向からみて電極２０−３の形状と同じである。
【００８４】
次に、静電型スピーカ１ｆの構造について説明する。振動体１０−１ｆは、スペーサ３０Ｕ−１ｆとスペーサ３０Ｌ−１ｆの間に配置されている。振動体１０−１ｆは、Ｘ軸方向の縁とＹ軸方向の縁からそれぞれ内側へ数ｍｍの幅で接着剤が塗布されてスペーサ３０Ｕ−１ｆとスペーサ３０Ｌ−１ｆに固着されている。振動体１０−１ｆの接着剤が塗布されていない部分は、スペーサ３０Ｕ−１ｆとスペーサ３０Ｌ−１ｆに固着されていない。電極２０Ｕ−１は、振動体１０−１ｆを挟んで電極２０Ｌ−１と対向した状態でスペーサ３０Ｕ−１ｆに固着されており、電極２０Ｌ−１は、振動体１０−１ｆを挟んで電極２０Ｕ−１と対向した状態でスペーサ３０Ｌ−１ｆに固着されている。電極２０−１は、基部２０−Ａと、基部２０−Ａから突出する複数の櫛歯部分２０−Ｂ１〜Ｂ３を有している。また、電極２０Ｕ−２は、振動体１０−２ｆを挟んで電極２０Ｌ−２と対向した状態でスペーサ３０Ｕ−２ｆに固着されており、電極２０Ｌ−２は、振動体１０−２ｆを挟んで電極２０Ｕ−２と対向した状態でスペーサ３０Ｌ−２ｆに固着されている。電極２０−２は、基部２０−Ｃと、基部２０−Ｃから突出する１以上の櫛歯部分２０−Ｄ１〜Ｄ３を有している。
【００８５】
このように構成された静電型スピーカ１ｆは、櫛歯部分２０−Ｂ１〜Ｂ３が電極２０−２に向かって突出し、櫛歯部分２０−Ｄ１〜Ｄ３が電極２０−１に向かって突出し、２つの櫛歯部分２０−Ｂによって挟まれる位置に櫛歯部分２０−Ｄが配置された状態で、放音部４０−１及び放音部４０−２を支持することが可能となる。なお、電極２０−１に代わる電極２０−１ｆと、電極２０−２に代わる電極２０−２ｆとの間で組み合わさる櫛歯部分について説明したが、電極２０−２と電極２０−３との間で組み合わさる櫛歯部分についても同様である。つまり、静電型スピーカ１ｆは、櫛歯部分２０−Ｅ１〜Ｅ３が電極２０−３に向かって突出し、櫛歯部分２０−Ｇ１〜Ｇ３が電極２０−２に向かって突出し、２つの櫛歯部分２０−Ｅによって挟まれる位置に櫛歯部分２０−Ｇが配置された状態で、放音部４０−２及び放音部４０−３を支持することが可能となる。
【００８６】
（変形例７）
上述した実施形態において、電極２０−２は、電極２０−１へ突出する第４の櫛歯部分である櫛歯部分２０−Ｄ１〜Ｄ３を有するとともに、電極２０−３へ突出する第５の櫛歯部分である櫛歯部分２０−Ｅ１〜Ｅ３を有していたが、電極２０−２が有する櫛歯部分は上記のいずれか一方だけであってもよい。図１２は、この変形例における静電型スピーカ１ｇ、１ｈの外観を示す図である。図１２に示すように、電極２０−２は、電極２０−１に向けて突出する櫛歯部分２０−Ｄ１ｇ，２０−Ｄ２ｇ，２０−Ｄ３ｇを有する。これらは、電極２０−１から電極２０−２へ向けて突出する櫛歯部分２０−Ｂ１ｇ，２０−Ｂ２ｇ，２０−Ｂ３ｇと噛みあった状態で配置される。
【００８７】
一方、電極２０−２のうち、電極２０−３側にはＸ軸に並行な切片Ｅｇ１があり、突出する部位を有していない。そして、電極２０−１には、音声信号Ｒに応じた電圧が印加され、電極２０−３には、音声信号Ｌに応じた電圧が印加される。この構成であっても、上述したスイッチを制御することにより図５（ｂ）におけるケースＩの状態にして電極２０−２に印加する電圧を、電極２０−１に印加する電圧と同じにするのであれば、切片Ｅｇ１を境にして音声信号Ｒと音声信号Ｌとが分離して聴こえるため、聴者は音声信号Ｒが示す音と音声信号Ｌが示す音とを別々に聴き、両者が混ざった音を聴くことがない。
また、上述したスイッチを制御することにより図５（ｂ）におけるケースＩＩＩの状態にして電極２０−２に印加する電圧を、電極２０−３に印加する電圧と同じにするのであれば、噛みあった櫛歯部分を境にして音声信号Ｒと音声信号Ｌとが混合して聴こえるため、聴者は音声信号Ｒが示す音と音声信号Ｌが示す音とが混ざった音を聴く。
そして、上述したスイッチを制御することにより図５（ｂ）におけるケースＩＩの状態にして、無音を示す音声信号Ｍに応じた電圧を電極２０−２に印加するのであれば、音声信号Ｒと音声信号Ｌとがそれぞれ独立して聴こえる領域の間に、音の聴こえない領域が生じる。
なお、実施形態における、第４の櫛歯部分と第５の櫛歯部分を備えた静電型スピーカの構成は、以下のように表される。
【００８８】
導電性を有する振動体と、
前記振動体に対向する第１、第２及び第３の電極と、
前記振動体と各々の前記電極とを離間させる絶縁性の離間部材と、
前記第１の電極に対して、第１の音声信号に応じた電圧を印加し、前記第３の電極に対して、前記第１の音声信号と異なる第２の音声信号に応じた電圧を印加し、前記第２の電極に対して、前記第１の音声信号、前記第２の音声信号、および音量が所定の閾値未満の音を示す第３の音声信号のいずれかに応じた電圧を選択して印加する電圧印加手段とを備え、
前記第１の電極は、第１の電極部分と、当該第１の電極部分から前記第２の電極に向かって突出する形状の第２の電極部分とを有し、
前記第２の電極は、第３の電極部分と、当該第３の電極部分から前記第１の電極に向かって突出する形状の第４の電極部分と、当該第３の電極部分から前記第３の電極に向かって突出する形状の第５の電極部分とを有し、
前記第３の電極は、前記第１の電極との間で前記第２の電極を挟む位置に配置され、かつ、第６の電極部分と、当該第６の電極部分から前記第２の電極に向かって突出する形状の第７の電極部分とを有し、
前記第２の電極部分および前記第４の電極部分は、いずれか一方の電極部分から突出した形状の１つの部分が、他方の電極部分から突出した形状の２つの部分の間に挟まれるように配置され、
前記第５の電極部分および前記第７の電極部分は、いずれか一方の電極部分から突出した形状の１つの部分が、他方の電極部分から突出した形状の２つの部分の間に挟まれるように配置される
ことを特徴とする静電型スピーカ。
【００８９】
また、上述した実施形態において、電極２０−２と、電極２０−１又は電極２０−３とはＹ軸方向のみに並んでいたが、電極２０の並ぶ方向は１方向に限られない。例えば、Ｘ軸方向およびＹ軸方向の２方向に格子状に並んでいてもよい。この場合であっても、Ｘ軸方向に電極２０が３つ並び、これら３つのうち中間に配置された電極が、両端の電極のいずれか一方と同じ電圧か、無音を示す音声信号Ｍに応じた電圧を印加されるようになっていればよい。また、電極２０の並ぶ方向は直線に限られない。例えば、電極２０の並ぶ方向は、扇形や渦巻き形であってもよい。
【００９０】
また、上述した実施形態において、並べられる電極２０の数は３つであったが、４つ以上であってもよい。この場合、並べられる４つ以上の電極２０のうち、隣り合う３つの電極２０が、上述した電極２０−１，２０−２，２０−３、すなわち、第１、第２及び第３の電極を構成していればよい。
【００９１】
（変形例８）
上述した実施形態では、静電型スピーカ１は、振動体１０を一対の電極で挟むプッシュプルの構成となっているが、静電型スピーカ１の構成は、この構成に限定されるものではない。例えば、一つのスペーサ３０を一対の互いに対向する導電膜で挟み、導電膜の一方を電極とし、他方の導電膜を振動体とするシングル型の構成であってもよい。
【００９２】
（変形例９）
上述した実施形態において、入力部６０−２に入力される音声信号Ｍは、音量が予め決められた閾値未満の音を表す音声信号であったが、入力部６０−１に入力される音声信号Ｒおよび入力部６０−３に入力される音声信号Ｌを混合した音声信号であってもよい。また、制御部８０は、音声信号Ｍとして、上述の混合された音声信号と、無音を示す音声信号のいずれか一方を選択するようにしてもよい。この場合、音声信号Ｒと音声信号Ｌとは、それぞれ決められた割合で混合されてもよい。例えば、音圧が（Ｌα＋Ｒβ）となるように音声信号Ｒと音声信号Ｌの各音圧をそれぞれ所定の係数（α、β）で調整した上で混合し、混合されたこの音声信号を音声信号Ｍとしてもよい。
【００９３】
すなわち、図４および図５に示した制御部８０と、入力部６０−１，６０−２，６０−３、および変圧器５０−１，５０−２，５０−３を含んで構成される電圧印加手段が、電極２０−１（第１の電極）に対して、音声信号Ｒ（第１の音声信号）に応じた電圧を印加し、電極２０−３（第３の電極）に対して、音声信号Ｒと異なる音声信号Ｌ（第２の音声信号）に応じた電圧を印加し、電極２０−３（第２の電極）に対して、音声信号Ｒ、音声信号Ｌ、音量が所定の閾値未満の音を示す第３の音声信号、および音声信号Ｒと音声信号Ｌとを決められた割合で合成した第４の音声信号のいずれかに応じた電圧を選択して印加すればよい。
【００９４】
この構成によれば、図６に示したケースＩＩの状態で、座標Ｙ１から座標Ｙ4までの領域で音声信号Ｌと音声信号Ｒとを混合した音声信号Ｍに応じた音を聴者に聴かせることができる。
【００９５】
（変形例１０）
上述した実施形態および変形例は、入力された音声信号に基づいて放音する静電型スピーカ１について記載していたが、この静電型スピーカ１の構成を静電型マイクロフォンなどの収音装置に用いてもよい。つまり、電気信号を音（音波）に変換する静電型スピーカを、音（音波）を電気信号に変換する静電型マイクロフォンに適用すればよい。この静電型スピーカと静電型マイクロフォンとは、いずれも静電型の電気音響変換器として観念される。
【００９６】
図１３は、この変形例に係る静電型マイクロフォン１Mの電気的構成を示した図である。図１３に示す構成では、入力部６０−１，６０−２，６０−３に代えて、出力部６１−１，６１−２，６１−３（以下、特に区別の必要がない場合は、これらを総称して「出力部６１」と記す）が備えられている。この場合、周囲の音によって振動体１０が振動し、この振動が電極２０−１，２０−２，２０−３との間で電気信号に変換される。制御部８０は図１３に示す３つのスイッチＳＷ１，ＳＷ２，ＳＷ３を制御する。制御部８０がスイッチＳＷ２のみをＯＮにし、他のスイッチをＯＦＦにすると、回路は図５（ｂ）に示したケースＩＩの状態となる。そして、電極２０−１，２０−２，２０−３において発生する電気信号は、変圧器５０−１，５０−２，５０−３にそれぞれ個別に伝えられ、これに応じた電気信号が出力部６１−１，６１−２，６１−３からそれぞれ出力される。したがって、振動体１０のうち、各電極２０に入射する音波は、それぞれ別々の電気信号に変換されて出力される。
【００９７】
一方、制御部８０がスイッチＳＷ１のみをＯＮにし、他のスイッチをＯＦＦにすると、回路は図５（ｂ）に示したケースＩの状態となる。このとき、電極２０−１，２０−２において発生する電気信号は変圧器５０−１，５０−２にそれぞれ個別に伝えられた後に混合されて出力部６１−１，６１−２からそれぞれ出力される。そして、電極２０−３において発生する電気信号は変圧器５０−３に伝えられて出力部６１−３から出力される。したがって、振動体１０のうち、電極２０−３の正面方向の音は、電極２０−１，２０−２の正面方向の音と混合されずに出力されるが、電極２０−１の正面方向の音と、電極２０−２の正面方向の音とは、互いに混合されて出力される。
【００９８】
同様に、制御部８０がスイッチＳＷ３のみをＯＮにし、他のスイッチをＯＦＦにすると、回路は図５（ｂ）に示したケースＩＩＩの状態となる。その結果、振動体１０のうち、電極２０−１の正面方向の音は、電極２０−２，２０−３の正面方向の音と混合されずに出力されるが、電極２０−２の正面方向の音と、電極２０−３の正面方向の音とは、互いに混合されて出力される。
【００９９】
この変形例において、上述したスイッチＳＷ１，ＳＷ２，ＳＷ３と、制御部８０とは、本発明における出力選択手段として機能する。
なお、変圧器５０−１，５０−２，５０−３のインピーダンスが低いような場合には、出力部６１−１，６１−２，６１−３により出力される電気信号をそれぞれ増幅器で増幅してもよい。
【０１００】
すなわち、この変形例の構成によれば、振動体１０によって収音する領域の大きさを調節することができる。
【符号の説明】
【０１０１】
１…静電型スピーカ（静電型の電気音響変換器）、１０…振動体、２０…電極、２０−Ａ，２０−Ｃ，２０−Ｆ…基部、２０−Ｂ，２０−Ｄ，２０−Ｅ，２０−Ｇ…櫛歯部分、３０…スペーサ、４０−１，４０−２，４０−３…放音部、５０−１，５０−２，５０−３…変圧器、６０−１，６０−２，６０−３…入力部、７０…バイアス電源、８０…制御部、９０…カバー部材、９１…広告画像、１Ｍ…静電型マイクロフォン（静電型の電気音響変換器）
【図１】
0005817442.tif 000002
【図２】
0005817442.tif 000003
【図３】
0005817442.tif 000004
【図４】
0005817442.tif 000005
【図５】
0005817442.tif 000006
【図６】
0005817442.tif 000007
【図７】
0005817442.tif 000008
【図８】
0005817442.tif 000009
【図９】
0005817442.tif 000010
【図１０】
0005817442.tif 000011
【図１１】
0005817442.tif 000012
【図１２】
0005817442.tif 000013
【図１３】
0005817442.tif 000014